(57)【要約】【課題】レンズ鏡筒を構成する固定筒の凹部に板ばね部材を配置し、板ばね部材を操作リングの内周面に圧接させて操作リングに所定の回転抵抗を与えることにより、地震や車の往来による振動では勝手に回動しない操作リングを有するレンズ鏡筒を提供する。【解決手段】レンズ鏡筒１０によれば、固定筒２２の凹部５４に収納された潤滑剤吸収体５０から滲み出た潤滑剤が、板ばね部材５２の孔５６から固定筒２２とズームリング３４との間に供給される。そして、ズームリング３４の回動動作によって潤滑剤がズームリング３４の全内周面に塗布される。また、ズームリング３４は、その内周面が板ばね部材５２に圧接されていることによって板ばね部材５２から、地震や車の往来による振動では勝手に回動しない所定の回転抵抗が与えられている。【選択図】      図２
2004163484.tif 000002
【特許請求の範囲】
【請求項１】
固定筒の外周部に回動自在に設けられた操作リングを回動させてレンズ移動又はアイリス調整を行うレンズ鏡筒において、
前記固定筒の外周面に形成された凹部に潤滑剤吸収体が収納され、
該潤滑剤吸収体と前記操作リングとの間に板ばね部材が配置され、
該板ばね部材は、前記操作リングの内周面に圧接されて操作リングに所定の回転抵抗を与えるとともに潤滑剤吸収体からの潤滑剤を操作リングの内周面に導くための孔が形成されていることを特徴とするレンズ鏡筒。
【請求項２】
固定筒の外周部に回動自在に設けられた操作リングを回動させてレンズ移動又はアイリス調整を行うレンズ鏡筒において、
前記固定筒には、該固定筒の外周面と内周面との間に空間部が形成されるとともに、該空間部と前記外周面とを連通する連通孔が形成され、
前記固定筒の前記空間部には、潤滑剤吸収体が収納され、
前記操作リングを前記固定筒側に付勢して、操作リングに所定の回転抵抗を与える板ばね部材が配置されていることを特徴とするレンズ鏡筒。
【請求項３】
固定筒の外周部に回動自在に設けられた操作リングを回動させてレンズ移動又はアイリス調整を行うレンズ鏡筒において、
前記操作リングには、該操作リングの外周面と内周面との間に空間部が形成されるとともに、該空間部と前記内周面とを連通する連通孔が形成され、
前記操作リングの前記空間部には、潤滑剤吸収体が収納され、
前記操作リングを前記固定筒側に付勢して、操作リングに所定の回転抵抗を与える板ばね部材が配置されていることを特徴とするレンズ鏡筒。
【発明の詳細な説明】
【０００１】
【発明の属する技術分野】
本発明はレンズ鏡筒に係り、特に監視カメラ用のレンズ鏡筒であって、固定筒の外周部に設けられた操作リングを回転させてピント、焦点距離、または絞り値を調節するレンズ鏡筒に関する。
【０００２】
【従来の技術】
監視カメラ用のレンズ鏡筒のなかにはピント、焦点距離、及び絞り値が予め調整されて建屋に設置されるものがある。ピント、焦点距離、及び絞り値の調整は、レンズ鏡筒の固定筒に回転自在に設けられたフォーカスリング、ズームリング、及びアイリスリングを回動操作することにより実施される。
【０００３】
このような監視カメラのレンズ鏡筒では、地震や車の往来による振動によって操作リングが勝手に回動すると初期設定が狂ってしまうので、一度設定した後には、各操作リングをロックねじによって固定筒側に固定するものも提案されている（例えば、特許文献１）。
【０００４】
一方、レンズ鏡筒は、操作リングの操作性を円滑にするために、操作リングの内周面にグリースを手作業で塗布しているが、塗布量にバラツキが生じやすいため、本願出願人は、固定筒や操作リングに形成された空間部に潤滑剤吸収体を収納するとともに、潤滑剤吸収体から滲み出る潤滑剤を操作リングの内周面に導く孔を、固定筒や操作リングに形成したレンズ鏡筒を提案している（例えば、特許文献２）。
【０００５】
【特許文献１】
特開平１１−２３１１９４号公報  （第３頁  図１）
【０００６】
【特許文献２】
特開２００１−１０００７６号公報（第３頁  図１）
【０００７】
【発明が解決しようとする課題】
しかしながら、操作リングをロックねじによって回動不能に固定する前記従来のレンズ鏡筒は、ロックねじの力によってレンズ鏡筒の固定筒や他の部品が変形する場合があり、光学的性能が低下するという虞があった。
【０００８】
また、前記潤滑剤吸収体を内蔵した前記従来のレンズ鏡筒は、潤滑剤吸収体から滲み出るグリースの粘度によって操作リングにある程度の回転抵抗を与えることはできるが、グリースは、温度が上昇すると粘度が低下するので、振動に対抗する所望の回転抵抗を操作リングに与えることは困難であった。
【０００９】
本発明は、このような事情に鑑みてなされたもので、ロックねじを使用することなく、簡単な構造で操作リングに所望の回転抵抗を与えることができるレンズ鏡筒を提供することを目的とする。
【００１０】
【課題を解決するための手段】
請求項１に係る発明は、前記目的を達成するために、固定筒の外周部に回動自在に設けられた操作リングを回動させてレンズ移動又はアイリス調整を行うレンズ鏡筒において、前記固定筒の外周面に形成された凹部に潤滑剤吸収体が収納され、該潤滑剤吸収体と前記操作リングとの間に板ばね部材が配置され、該板ばね部材は、前記操作リングの内周面に圧接されて操作リングに所定の回転抵抗を与えるとともに潤滑剤吸収体からの潤滑剤を操作リングの内周面に導くための孔が形成されていることを特徴とする。
【００１１】
請求項２に係る発明は、前記目的を達成するために、固定筒の外周部に回動自在に設けられた操作リングを回動させてレンズ移動又はアイリス調整を行うレンズ鏡筒において、前記固定筒には、該固定筒の外周面と内周面との間に空間部が形成されるとともに、該空間部と前記外周面とを連通する連通孔が形成され、前記固定筒の前記空間部には、潤滑剤吸収体が収納され、前記操作リングを前記固定筒側に付勢して、操作リングに所定の回転抵抗を与える板ばね部材が配置されていることを特徴とする。
【００１２】
請求項３に係る発明は、前記目的を達成するために、固定筒の外周部に回動自在に設けられた操作リングを回動させてレンズ移動又はアイリス調整を行うレンズ鏡筒において、前記操作リングには、該操作リングの外周面と内周面との間に空間部が形成されるとともに、該空間部と前記内周面とを連通する連通孔が形成され、前記操作リングの前記空間部には、潤滑剤吸収体が収納され、前記操作リングを前記固定筒側に付勢して、操作リングに所定の回転抵抗を与える板ばね部材が配置されていることを特徴とする。
【００１３】
請求項１に記載の発明によれば、固定筒の凹部に収納された潤滑剤吸収体から滲み出た潤滑剤が、板ばね部材の孔から操作リングと固定筒との間に供給される。そして、操作リングの回動動作によって潤滑剤が操作リングの全内周面に塗布されるので、操作リングの操作性が向上するとともに操作リングの回動操作時に生じる、かじりを防止できる。また、操作リングは、その内周面が前記板ばね部材に圧接されていることによって板ばね部材から付勢力を受け、地震や車の往来による振動では勝手に回動しない所定の回転抵抗が与えられている。
【００１４】
請求項２に記載の発明によれば、固定筒の空間部に収納された潤滑剤吸収体から滲み出た潤滑剤が、連通孔から操作リングと固定筒との間に供給される。そして、操作リングの回動動作によって潤滑剤が操作リングの全内周面に塗布されるので、操作リングの操作性が向上するとともに操作リングの回動操作時に生じる、かじりを防止できる。また、操作リングは、板ばね部材の付勢力を受けており、これによって、振動に対抗できる所定の回転抵抗が与えられている。
【００１５】
請求項３に記載の発明によれば、操作リングの空間部に収納された潤滑剤吸収体から滲み出た潤滑剤が、連通孔から操作リングと固定筒との間に供給される。そして、操作リングの回動動作によって潤滑剤が操作リングの全内周面に塗布されるので、操作リングの操作性が向上するとともに操作リングの回動操作時に生じる、かじりを防止できる。また、操作リングは、板ばね部材の付勢力を受けており、これによって、振動に対抗できる所定の回転抵抗が与えられている。
【００１６】
【発明の実施の形態】
以下、添付図面に従って本発明に係るレンズ鏡筒の好ましい実施の形態について詳説する。
【００１７】
図１は、監視カメラ用のレンズ鏡筒１０を示す断面図である。このレンズ鏡筒１０の固定筒２２内には、光軸Ｐの前端側（図１で左側）から光軸Ｐに沿ってフォーカスレンズ１２、ズームレンズ１４、及びマスタレンズ１６が順に配置される。また、固定筒２２の外側には、筒状のカバー１１が設けられている。
【００１８】
フォーカスレンズ１２はレンズ保持枠１８に保持され、レンズ保持枠１８の外面には、複数本のカムピン２０、２０…（図１では２本のみ図示）が突設される。これらのカムピン２０は、固定筒２２に光軸Ｐと平行に形成された直進溝２２Ａ、２２Ａに嵌合される。固定筒２２の外側には、フォーカスリング（操作リング）２４が回動自在に配設される。フォーカスリング２４の内周面にはカム溝２４Ａが形成され、カム溝２４Ａにカムピン２０の先端が嵌合される。また、フォーカスリング２４の外面にはレバー２６が突設され、レバー２６は、カバー１１に形成されたスリット１１Ａを介してカバー１１の外部に延設されている。レバー２６によってフォーカスリング２４が回動操作されると、レンズ保持枠１８は、カム溝２４Ａと直進溝２２Ａとによる直動作用によって光軸Ｐ方向に前後移動する。これにより、ピント調整が行なわれる。
【００１９】
ズームレンズ１４はレンズ保持枠２８に保持され、レンズ保持枠２８と固定筒２２との間には直進筒３２が回動自在に配設される。レンズ保持枠２８には複数本のカムピン３０（１本のみ図示）が突設され、これらのカムピン３０は、直進筒３２に光軸Ｐと平行に形成された直進溝３２Ａに嵌合される。固定筒２２の内面にはカム溝２２Ｂが形成され、カムピン３０の先端はこのカム溝２２Ｂに嵌合される。
【００２０】
一方、固定筒２２の外側には、ズームリング（操作リング）３４が回動自在に配設される。ズームリング３４は、直進筒３２に連結部３７を介して連結される。ズームリング３４の外面にはレバー２７が突設され、レバー２７は、カバー１１に形成されたスリット１１Ｂを介して外部に延設されている。レバー２７によってズームリング３４が回動操作されると、直進筒３２が回動されるので、レンズ保持枠２８は、カム溝２２Ｂと直進溝３２Ａとによる直動作用によって光軸Ｐ方向に前後移動する。これにより、ズーム調整が行なわれる。
【００２１】
マスタレンズ１６は後枠３６に保持され、後枠３６の外側には、不図示のカメラのマウント部に連結されるマウント環３８が設けられている。ズームレンズ１４とマスタレンズ１６との間には絞り４２が設けられ、絞り４２はアイリスモータ４４によって駆動される。なお、電動ではなく手動でアイリス調整するレンズ鏡筒の場合には、固定筒の外周面にアイリスリング（操作リング）が回動自在に設けられ、アイリスリングを回動操作することによって、アイリス調整が行われる。
【００２２】
ところで、フォーカスリング２４及びズームリング３４は、潤滑剤吸収体から滲み出る潤滑剤によってその回動操作性が向上されるとともに板ばね部材によって、地震や車の往来による振動では勝手に回動しない回転抵抗が与えられている。
【００２３】
図１には、ズームリング３４側に潤滑剤吸収体５０と板ばね部材５２とが設けられた例が図示されている。フォーカスリング２４側にも同様に潤滑剤吸収体と板ばね部材とが設けられているが図１では省略している。
【００２４】
図２〜図４に示すように、潤滑剤が吸収されたスポンジ等の潤滑剤吸収体５０は、固定筒２２の外面に形成された凹部５４に収納される。
【００２５】
板ばね部材５２は、潤滑剤吸収体５０とズームリング３４の内周面３５との間で挟まれるように凹部５４に配置されている。板ばね部材５２はブーメラン形状に形成され、図３の如く両側を湾曲させた状態で凹部５４に嵌合される。これにより、板ばね部材５２の膨らんだ中央円弧状部５３がズームリング３４の内周面３５に圧接され、板ばね部材５２の付勢力がズームリング３４に与えられている。また、板ばね部材５２の中央部には孔５６が開口され、潤滑剤吸収体５０から滲み出た潤滑剤が、この孔５６を介してズームリング３４の内周面３５に供給される。
【００２６】
固定筒２２の凹部５４は、固定筒２２の外面に複数箇所形成され、これらの凹部５４に潤滑剤吸収体５０及び板ばね部材５２がそれぞれ収納されている。
【００２７】
このように構成されたレンズ鏡筒１０によれば、固定筒２２の凹部５４に収納された潤滑剤吸収体５０から滲み出た潤滑剤が、板ばね部材５２の孔５６から固定筒２２とズームリング３４との間に供給される。そして、ズームリング３４の回動動作によって潤滑剤がズームリング３４の全内周面３５に均等に塗布されるので、ズームリング３４の操作性が向上するとともにズームリング３４の回動操作時に生じる、かじりを防止できる。
【００２８】
また、ズームリング３４は、その内周面３５が板ばね部材５２に圧接されていることによって板ばね部材５２から、地震や車の往来による振動では勝手に回動しない所定の回転抵抗が与えられている。したがって、このレンズ鏡筒１０のズームリング３４は、ロックねじを用いることなく、振動に対抗できるズームリング３４となっている。なお、フォーカスリング２４も同様である。
【００２９】
板ばね部材５２の付勢力による前記回転抵抗、すなわち、ズームリング３４の回動操作トルクは、３００〜５００ｇ・ｃｍ（ズームリング３４の直径４０〜５０ｍｍ）に設定されている。
【００３０】
図５、図６は、固定筒２２に形成された、肉ぬき部である空間部６０に潤滑剤吸収体５０を収納した例が示されている。空間部６０は、図６の如く固定筒２２の内周面と外周面との間で周方向に沿って所定の間隔で複数箇所形成され、これらの空間部６０のうちの一つ又は複数の空間部６０に潤滑剤吸収体５０が収納されている。また、固定筒２２の端面は開口されるとともに、所定の奥行きをもって形成されている。更に、固定筒２２の外周面には、空間部６０、６０…に連通する連通孔６２、６２…が形成されている。
【００３１】
固定筒２２に回動自在に支持された操作リング（フォーカスリング、ズームリング、又はアイリスリング）６４は、固定筒２２の段部側面２３と操作リング６４の図５上で右端面６５との間に配置された波板ばね部材６６によって、矢印Ａで示す方向に付勢され、操作リング６４の左端面６７が、固定筒２２に嵌着されたリングワッシャ６８に圧接されている。これにより、操作リング６４は、地震や車の往来による振動では勝手に回動しない回転抵抗が与えられている。
【００３２】
このように構成されることによって、固定筒２２の空間部６０に収納された潤滑剤吸収体５０から滲み出た潤滑剤は、連通孔６２から操作リング６４と固定筒２２との間に供給される。そして、操作リング６４の回動動作によって潤滑剤が操作リング６４の内周面６３に塗布されるので、操作リング６４の操作性が向上するとともに操作リング６４の回動操作時に生じる、かじりを防止できる。
【００３３】
また、操作リング６４は、波板ばね部材６６の付勢力を受けており、これによって、振動に対抗できる所定の回転抵抗が与えられているので、地震や車の往来による振動によっては勝手に回動せず初期設定は狂わない。
【００３４】
図７は、操作リング６４に形成された、肉ぬき部である空間部７０に潤滑剤吸収体５０を収納した例が示されている。空間部７０は、操作リング６４の内周面と外周面との間で周方向に沿って所定の間隔で複数箇所形成され、これらの空間部７０のうちの一つ又は複数の空間部７０に潤滑剤吸収体５０が収納されている。また、操作リング６４の端面は開口されるとともに、所定の奥行きをもって形成されている。更に、操作リング６４の内周面には、空間部７０、７０…に連通する連通孔７２、７２…が形成されている。
【００３５】
操作リング６４は、固定筒２２の段部側面２３と操作リング６４の図７上で左端面６７との間に配置された波板ばね部材６６によって、矢印Ｂで示す方向に付勢され、操作リング６４の右端面６５が、固定筒２２に嵌着されたリングワッシャ６８に圧接されている。これにより、操作リング６４は、地震や車の往来による振動では勝手に回動しない回転抵抗が与えられている。
【００３６】
このように構成されることによって、操作リング６４の空間部７０に収納された潤滑剤吸収体５０から滲み出た潤滑剤は、連通孔７２から操作リング６４と固定筒２２との間に供給される。そして、操作リング６４の回動動作によって潤滑剤が操作リング６４の全内周面６３に塗布されるので、操作リング６４の操作性が向上するとともに、操作リング６４の回動操作時に生じる、かじりを防止できる。
【００３７】
また、操作リング６４は、波板ばね部材６６の付勢力を受けており、これによって、振動に対抗できる所定の回転抵抗が与えられているので、地震や車の往来による振動によっては勝手に回動しない。よって、初期設定が維持される。
【００３８】
【発明の効果】
以上説明したように、本発明に係るレンズ鏡筒によれば、固定筒の凹部に収納された潤滑剤吸収体から滲み出た潤滑剤が、板ばね部材の孔から操作リングと固定筒との間に供給されるので、操作リングの操作性が向上するとともに操作リングの回動操作時に生じる、かじりを防止できる。また、操作リングは、その内周面が前記板ばね部材に圧接されて板ばね部材の付勢力を受けており、これによって、地震や車の往来による振動では勝手に回動しない所定の回転抵抗が与えられているので、ロックねじを使用することなく、所望の回転抵抗が与えられたレンズ鏡筒を提供できる。
【００３９】
また、本発明によれば、操作リングや固定筒の空間部に収納された潤滑剤吸収体から滲み出た潤滑剤が、連通孔から操作リングと固定筒との間に供給されるので、操作リングの操作性が向上するとともに操作リングの回動操作時に生じる、かじりを防止できる。また、操作リングは、板ばね部材の付勢力を受けており、これによって、地震や車の往来による振動では勝手に回動しない所定の回転抵抗が与えられているので、ロックねじを使用することなく、所望の回転抵抗が与えられたレンズ鏡筒を提供できる。
【図面の簡単な説明】
【図１】実施の形態のレンズ鏡筒の断面図
【図２】ズームリングの摺動部に設けられた潤滑剤吸収体と板ばね部材を示す断面図
【図３】図２上で３−３線上から見た摺動部の正面図
【図４】固定筒の凹部に潤滑剤吸収体と板ばね部材とが配置されることを示す説明図
【図５】固定筒の空間部に潤滑剤吸収体が収納された形態の断面図
【図６】図５上で６−６線上から見た摺動部の正面図
【図７】操作リングの空間部に潤滑剤吸収体が収納された形態の断面図
【符号の説明】
１０…レンズ鏡筒、１２…フォーカスレンズ、１４…ズームレンズ、１６…マスタレンズ、２２…固定筒、２４…フォーカスリング、３４…ズームリング、４２…絞り、４４…アイリスモータ、５０…潤滑剤吸収体、５２…板ばね部材、５４…凹部、５６…孔、６０、７０…空間部、６２、７２…連通孔、６４…操作リング
【図１】
2004163484.tif 000003
【図２】
2004163484.tif 000004
【図３】
2004163484.tif 000005
【図４】
2004163484.tif 000006
【図５】
2004163484.tif 000007
【図６】
2004163484.tif 000008
【図７】
2004163484.tif 000009